(57)【要約】  かご床（４１）のかご床意匠面（４１ａ）からかごの高さ方向に突出して設けられている一対の側面壁を取り付ける一対の側面取付部（４２０）を有するかご床ユニット（４）、及び上枠（６０）に設けられた天井（６１）を有するかご天井ユニット（６）を備える。水平方向について一対の側面取付部（４２０）間の距離は、天井（６１）の両端部間の距離よりも長く設定され、かつ、上枠（６０）の両端部間の距離よりも短く設定されている。鉛直方向について一対の側面取付部（４２０）の長さは、天井（６１）の長さよりも長く設定されている。出荷搬送時にかご床ユニット（４）上にかご天井ユニット（６）を載せたとき、上枠（６０）の下面は、一対の側面取付部（４２０）の上面と当接し、かつ、互いに対向するかご床意匠面（４１ａ）と天井意匠面（６１０ａ）とは、離れて配置されている。天井（６１）は、一対の側面取付部（４２０）間に入れ子状態で収納される。
2016103391.tif 000002
【特許請求の範囲】
【請求項１】
かご床と、上記かご床のかご床意匠面の端部からかごの高さ方向に突出して設けられ、かごの幅方向について互いに対向して設けられる一対の側面壁を取り付ける一対の側面取付部と、を有するかご床ユニット、及び  上記かごの高さ方向について上記かご床から距離を置いて配置される上枠と、天井意匠面を上記かご床意匠面に対向させた状態で上記上枠に設けられ、上記一対の側面壁と締結される天井と、を有するかご天井ユニット  を備え、  水平方向について上記一対の側面取付部間の距離は、上記天井の両端部間の距離よりも長く設定されているとともに、上記上枠の両端部間の距離よりも短く設定されており、  鉛直方向について上記一対の側面取付部の長さは、上記天井の長さよりも長く設定されており、  出荷搬送時に上記かご床ユニット上に上記かご天井ユニットを載せたとき、上記上枠の下面は、上記一対の側面取付部の上面と当接し、かつ、互いに対向する上記かご床意匠面と上記天井意匠面とは、離れて配置されているとともに、上記天井は、上記一対の側面取付部間に入れ子状態で収納される  エレベータかご用部品の組立体。
【請求項２】
上記出荷搬送時において上記入れ子状態として収納された上記かご床ユニット上と上記かご天井ユニットに関して、上記かご床ユニットの上記幅方向の端部と上記かご天井ユニットの上記幅方向の端部とを、上記高さ方向に沿って締結する連結部材  をさらに備え、  上記連結部材は、上記かご床ユニットの上記幅方向の端部及び上記かご天井ユニットの上記幅方向の端部にそれぞれ設けられた部品取付穴に対応する位置に取付穴が設けられており、上記部品取付穴を流用して上記かご床ユニット上と上記かご天井ユニットとを締結する  請求項１に記載のエレベータかご用部品の組立体。
【請求項３】
上記連結部材に設けられ、上記連結部材の一端部から鉛直方向に沿って伸縮可能なジャッキ本体を有し、上記かご床ユニット及び上記かご天井ユニットを昇降路内に搬入したとき、上記かご床ユニットの水平を調整可能な水平調整ジャッキ部  をさらに備える  請求項２に記載のエレベータかご用部品の組立体。
【請求項４】
上記水平調整ジャッキ部は、    上記かご床ユニット上に上記かご天井ユニットが載せられた状態において、上記かご天井ユニット側の上記連結部材の端部に設けられており、    上記かご天井ユニットと上記連結部材との締結部を外し、上記かご床ユニットと上記連結部材との締結部を緩めた状態で、上記連結部材を、上記かご床ユニットとの締結部を中心軸として回動させたとき、上記かご床ユニットよりも下方に移動する  請求項３に記載のエレベータかご用部品の組立体。
【請求項５】
上記水平調整ジャッキ部は、    上記連結部材の所望の位置に取り外し可能に設けられており、    上記連結部材の下端部が、上記かご床ユニットよりも下方に突出するように上記連結部材を上記かご床ユニットに取り付けた状態で、上記連結部材の下端部に取り付けられる  請求項３に記載のエレベータかご用部品の組立体。
【請求項６】
請求項３に記載のエレベータかご用部品の組立体を用いたかご製造方法であって、  出荷搬送時において、上記上枠の下面を、上記一対の側面取付部の上面と当接させ、かつ、互いに対向する上記かご床意匠面と上記天井意匠面とが離れて配置されるように、上記かご床ユニット上に上記かご天井ユニットを載せることで上記入れ子状態とした後、上記かご床ユニットの上記幅方向の端部と上記かご天井ユニットの上記幅方向の端部とを、上記高さ方向に沿って上記連結部材で締結し、上記エレベータかご用部品の組立体を形成する工程と、  形成された上記エレベータかご用部品の組立体を昇降路内に搬送する工程と、  搬送された上記エレベータかご用部品の組立体の上記連結部材を上記かご天井ユニットの上記幅方向の端部から取り外すとともに、上記連結部材の下端部が、上記かご床ユニットの下端部から下方に突出するように上記連結部材を締結し直す工程と、  上記かご床ユニットの下端部から突出した上記連結部材の下端部に取り付けられた上記水平調整ジャッキを用いて上記かご床ユニットの水平調整を行う工程と、  水平調整された上記かご床ユニットから離れる方向に上記かご天井ユニットを揚重する工程と、  揚重された上記かご天井ユニットと上記かご床ユニットとの間に立柱を取り付ける工程と、  を有するかご製造方法。
【請求項７】
かご床と、上記かご床のかご床意匠面の端部からかごの高さ方向に突出して設けられ、かごの幅方向について互いに対向して設けられる一対の側面壁を取り付ける一対の側面取付部と、を有するかご床ユニット、  上記かごの高さ方向について上記かご床から距離を置いて配置される上枠と、天井意匠面を上記かご床意匠面に対向させた状態で上記上枠に設けられ、上記一対の側面壁と締結される天井と、を有するかご天井ユニット、及び  上記かご床ユニットと上記かご天井ユニットとを上記かごの高さ方向に繋ぐ複数の立柱  を備え、  水平方向について上記一対の側面取付部間の距離は、上記天井の両端部間の距離よりも長く設定されているとともに、上記上枠の両端部間の距離よりも短く設定されており、  鉛直方向について上記一対の側面取付部の長さは、上記天井の長さよりも長く設定されている  エレベータのかご。
【発明の詳細な説明】
【技術分野】
【０００１】  この発明は、エレベータのかごを形成する部材うち、かご床及びかご天井の梱包及び輸送に適したエレベータかご用部品の組立体、かご製造方法、及びエレベータのかごに関するものである。
【背景技術】
【０００２】  かご床ユニット及びかご天井ユニットを一体に梱包して輸送するとき、かご床ユニット及びかご天井ユニットの意匠面の損傷を防止する必要がある。そこで、かご床ユニットの上に木材を載せて、かご床ユニットの上方に空間を形成したうえで、かご床ユニットの上にかご天井ユニットを重ねて輸送用のコンテナに積み込む出荷形態が従来から知られている。また、重ねたかご床ユニット及びかご天井ユニットが、輸送用のコンテナ内で水平方向に移動することを抑制するために、輸送用のコンテナに木材製のストッパが水平方向に沿って設けられていることも知られている。
【発明の概要】
【発明が解決しようとする課題】
【０００３】  しかしながら、従来の出荷形態では、かご床ユニットとかご天井ユニットとの間に木材が介在している。このため、梱包したかご床ユニット及びかご天井ユニットの高さが高くなってしまい、輸送用のコンテナに積み込むときの容積率が増加してしまう。これにより、輸送にかかる費用が増加してしまうという問題があった。【０００４】  この発明は、上記のような課題を解決するためになされたものであり、かご床ユニットとかご天井ユニットとを梱包する際の体積を小さくし、輸送にかかる費用の増加を抑制することができるエレベータかご用部品の組立体、かご製造方法、及びエレベータのかごを得ることを目的とする。
【課題を解決するための手段】
【０００５】  この発明によるエレベータかご用部品の組立体は、かご床と、かご床のかご床意匠面の端部からかごの高さ方向に突出して設けられ、かごの幅方向について互いに対向して設けられる一対の側面壁を取り付ける一対の側面取付部と、を有するかご床ユニット、及びかごの高さ方向についてかご床から距離を置いて配置される上枠と、天井意匠面をかご床意匠面に対向させた状態で上枠に設けられ、一対の側面壁と締結される天井と、を有するかご天井ユニットを備え、水平方向について一対の側面取付部間の距離は、天井の両端部間の距離よりも長く設定されているとともに、上枠の両端部間の距離よりも短く設定されており、鉛直方向について一対の側面取付部の長さは、天井の長さよりも長く設定されており、出荷搬送時にかご床ユニット上にかご天井ユニットを載せたとき、上枠の下面は、一対の側面取付部の上面と当接し、かつ、互いに対向するかご床意匠面と天井意匠面とは、離れて配置されているとともに、天井は、一対の側面取付部間に入れ子状態で収納される。【０００６】  また、この発明によるかご製造方法は、かご床と、かご床のかご床意匠面の端部からかごの高さ方向に突出して設けられ、かごの幅方向について互いに対向して設けられる一対の側面壁を取り付ける一対の側面取付部と、を有するかご床ユニットの上に、かごの高さ方向についてかご床から距離を置いて配置される上枠と、天井意匠面をかご床意匠面に対向させた状態で上枠に設けられ、一対の側面壁と締結される天井と、を有するかご天井ユニットが載せられ、上枠の下面が、一対の側面取付部の上面と当接し、かつ、互いに対向するかご床意匠面と天井意匠面とが、離れて配置されているとともに、天井が、一対の側面取付部間に入れ子状態で収納された状態が、連結部材で締結されたエレベータかご用部品の組立体が昇降路内に搬送される工程と、搬送されたエレベータかご用部品の組立体の連結部材を、かご床ユニットの下端部から突出させる工程と、かご床ユニットの下端部から突出した連結部材の下端部に取り付けられた水平調整ジャッキを用いてかご床ユニットの水平調整を行う工程と、水平調整されたかご床ユニットから離れる方向にかご天井ユニットを揚重する工程と、揚重されたかご天井ユニットとかご床ユニットとの間に立柱を取り付ける工程と、を有する。【０００７】  さらに、この発明によるエレベータのかごは、かご床と、かご床のかご床意匠面の端部からかごの高さ方向に突出して設けられ、かごの幅方向について互いに対向して設けられる一対の側面壁を取り付ける一対の側面取付部と、を有するかご床ユニット、かごの高さ方向についてかご床から距離を置いて配置される上枠と、天井意匠面をかご床意匠面に対向させた状態で上枠に設けられ、一対の側面壁と締結される天井と、を有するかご天井ユニット、及びかご床ユニットとかご天井ユニットとをかごの高さ方向に繋ぐ複数の立柱を備え、水平方向について一対の側面取付部間の距離は、天井の両端部間の距離よりも長く設定されているとともに、上枠の両端部間の距離よりも短く設定されており、鉛直方向について一対の側面取付部の長さは、天井の長さよりも長く設定されている。
【発明の効果】
【０００８】  この発明によれば、天井がかご床に設けられた一対の側面取付部間に入れ子状態で収納できるとともに、かご床意匠面と天井意匠面とが、互いに対向し、かつ互いに距離を置いた状態で収納できる構造を備えている。この結果、かご床ユニットとかご天井ユニットとを梱包する際の体積を小さくし、梱包材及び輸送にかかる費用の増加を抑制することができるエレベータかご用部品の組立体、かご製造方法、及びエレベータのかごを得ることができる。
【図面の簡単な説明】
【０００９】
【図１】本発明の実施の形態１におけるかご天井ユニット及びかご床ユニットを取り付けたかご枠の構造を示す斜視図である。
【図２】図１のかご床ユニットを示す斜視図である。
【図３】図１のかご天井ユニットを示す斜視図である。
【図４】本発明のかご床ユニット及びかご天井ユニットの出荷形態を示す斜視図である。
【図５】図４のかご床ユニット及びかご天井ユニットの出荷形態を矢印Ｖ方向から見た状態の一部を示す正面図である。
【図６】かご床ユニットと連結部材の一辺との締結を中心軸として、連結部材を１８０°回転させる動作を示す模式図である。
【発明を実施するための形態】
【００１０】  実施の形態１．  図１は、本発明の実施の形態１におけるかご天井ユニット及びかご床ユニットを取り付けたかご枠の構造を示す斜視図である。なお、本実施の形態１では、図１の矢印Ａ方向をかごの幅方向、図１の矢印Ｂ方向をかごの奥行き方向、図１の矢印Ｃ方向をかごの高さ方向として説明する。
【００１１】  図１に示すように、昇降路内には、一対のガイドレール１が互いに距離を置いて配置されている。一対のガイドレール１は、かごの高さ方向、即ち、鉛直上方に沿って配置されている。また、一対のガイドレール１は、かごの幅方向について互いに対向している。
【００１２】  一対のガイドレール１間には、かごを形成するかご枠２が設けられている。かご枠２は、一対のガイドレール１間に水平に設けられているかご下梁３と、かご下梁３に支持されたかご床ユニット４と、かごの高さ方向に沿ってかご床ユニット４に立てて組み立てられた複数の立柱５と、立柱５全ての上端部間に渡って設けられたかご天井ユニット６と、を有している。
【００１３】  また、かご出入口７側を除くかごの側面には、図示しない側壁が取り付けられる。以下、かご出入口７からかごの奥行き方向に沿ってかごを見たとき、かごの両側面を形成する一対の側壁を側面壁と称し、かごの背面を形成する側壁を背面壁と称す。
【００１４】  かご下梁３は、かごの幅方向に沿って配置されている。かご下梁３には、複数の非常止め３０が設けられている。
【００１５】  非常止め３０は、かごの幅方向についてかご下梁３の両端部それぞれに設けられている。即ち、図２では、２つの非常止め３０が設けられている。
【００１６】  各非常止め３０は、調速機が検出したかごが昇降路内を移動する速度が、予め設定された速度を超えていると制御装置により判断されたとき、ガイドレール１を把持する動作を行う。かごは、各非常止め３０の把持動作によって、ガイドレール１に対して停止保持される。なお、調速機及び制御装置は、共に図示していない。
【００１７】  図２は、図１のかご床ユニット４を示す斜視図である。なお、図２は、図２の矢印Ａが図１の矢印Ａと対応し、図２の矢印Ｂが図１の矢印Ｂと対応するように図１を回転させている。図１及び図２に示すように、かご床ユニット４は、かご下梁３上に固定された一対の床枠側梁４０と、一対の床枠側梁４０間に配置されたかご床４１と、かご床４１に設けられた複数の壁取付板４２と、を有している。
【００１８】  一対の床枠側梁４０のそれぞれは、かごの奥行き方向に沿って配置されている。一対の床枠側梁４０のそれぞれには、ガイドシューを有する下部ガイド装置４３、及び立柱５を固定する複数の立柱取付部４４が設けられている。なお、図２には、下部ガイド装置４３は、図示されていない。
【００１９】  下部ガイド装置４３のそれぞれは、対応するガイドレール１の突出部に嵌った状態でガイドレール１に対して摺動可能に配置されている。かごの奥行き方向について、ガイドレール１に対する一対の床枠側梁４０のそれぞれの取付位置は、下部ガイド装置４３がガイドレール１の突出部に嵌ることにより決まる。
【００２０】  立柱取付部４４は、かごの奥行き方向について一対の床枠側梁４０のそれぞれの両端部に設けられている。即ち、本実施の形態１では、一対の床枠側梁４０のそれぞれに２つずつ、合計４つの立柱取付部４４が設けられている。各立柱取付部４４は、かごの高さ方向について、上部が断面略矩形の板部４４ａと、下部が断面略Ｌ字型のＬ字板部４４ｂとを有している。各立柱５は、立柱取付部４４のＬ字板部４４ｂに沿って固定されることで、かご床ユニット４の床枠側梁４０、及び後述するかご天井ユニット６の側梁６００それぞれに対して垂直になるように取り付けられることになる。
【００２１】  かご床４１は、一対の床枠側梁４０の間に取り付けられている。これにより、かご床４１は、各下部ガイド装置４３がガイドレール１に嵌った状態では、水平に配置される。かご床４１のかご出入口７の下部に位置する部分には、敷居取付用の段差４１ｂが設けられている。
【００２２】  壁取付板４２は、一対の側面壁を取り付ける一対の側面取付部４２０と、背面壁を取り付ける背面取付部４２１とを有している。一対の側面取付部４２０のそれぞれは、かご床４１のかご床意匠面４１ａからかごの高さ方向に沿って突出するように、かご床４１に取り付けられている。また、各側面取付部４２０は、かごの幅方向に互いに対向して配置されている。さらに、側面取付部４２０は、各かごの奥行き方向に沿って配置されている。
【００２３】  背面取付部４２１は、一対の床枠側梁４０それぞれのかごの奥行き方向端部と、段差４１ｂが設けられていないかご床４１とに取り付けられている。また、背面取付部４２１は、かごの幅方向に沿って配置されている。これにより、壁取付板４２は、かご出入口７を除く全ての面に設けられている。
【００２４】  このとき、かごの高さ方向について、背面取付部４２１の上端部は、側面取付部４２０のそれぞれの上端部と同じ位置、または、側面取付部４２０のそれぞれの上端部よりもかご床意匠面４１ａに近い位置になっている。本実施の形態１では、背面取付部４２１の上端部は、側面取付部４２０のそれぞれの上端部と同じ位置になっている。
【００２５】  立柱５は、それぞれの下端部が立柱取付部４４に取り付けられている。図１では、立柱５は、かご出入口７に近い位置に配置された一対の前柱５ａと、かご出入口７から前柱５ａよりもかごの奥行き方向に離れた一対の後柱５ｂとで構成されている
【００２６】  図３は、図１のかご天井ユニット６を示す斜視図である。なお、図３は、図３の矢印Ａが図１の矢印Ａと対応し、図３の矢印Ｂが図１の矢印Ｂと対応するように図１を回転させている。図１及び図３に示すように、かご天井ユニット６は、各立柱５の上端部に設けられた上枠６０と、上枠６０に設けられた天井６１とを有している。
【００２７】  上枠６０は、かごの奥行き方向に沿って前柱５ａ及び後柱５ｂの端部間のそれぞれを繋ぐ側梁６００と、かごの幅方向について側梁６００の間を繋ぐ前梁６０１、後梁６０２、及び中間梁６０３とを有している。
【００２８】  側梁６００は、床枠側梁４０と平行になるように立柱５に固定されている。また、側梁６００は、断面略Ｕ字型になっており、開放部を互いに対向させた状態で立柱５に固定されている。
【００２９】  側梁６００には、ガイドシューを有する上部ガイド装置６２が設けられている。上部ガイド装置６２は、下部ガイド装置４３と同様の構成であり、対応するガイドレール１の突出部に嵌った状態でガイドレール１に対して摺動可能に配置されている。即ち、かごの奥行き方向について、ガイドレール１に対する各側梁６００の位置は、上部ガイド装置６２がガイドレール１の突出部に嵌ることにより決まる。
【００３０】  上部ガイド装置６２は、下部ガイド装置４３と上部ガイド装置６２とを結ぶ仮想直線が各立柱５と平行になるように側梁６００に配置されている。これにより、下部ガイド装置４３及び上部ガイド装置６２がガイドレール１に嵌っている状態では、各立柱５はガイドレール１と平行に配置されるとともに、床枠側梁４０及び側梁６００はガイドレール１に対して垂直に配置されている。
【００３１】  ガイドレール１は、鉛直方向に沿って配置されている。従って、下部ガイド装置４３及び上部ガイド装置６２が嵌っている状態では、各立柱５の長手方向が鉛直方向になり、床枠側梁４０及び側梁６００それぞれの長手方向が水平になっている。
【００３２】  前梁６０１は、前柱５ａのそれぞれの上端部間に固定された側梁６００の端部間を繋いでいる。図１では、前梁６０１は、断面略Ｌ字型の板になっている。かごの高さ方向について、前梁６０１の長さは、側梁６００の長さよりも短く設定されている。また、前梁６０１のＬ字型部の水平方向に沿った水平面は、かごの高さ方向について、側梁６００の下方の水平面よりも上方に位置するように、側梁６００に取り付けられている。
【００３３】  後梁６０２は、後柱５ｂのぞれぞれの上端部間に固定された側梁６００の端部間を繋いでいる。後梁６０２は、一部が断面略Ｌ字型の部材になっており、Ｌ字型の一方の板をかごの高さ方向である鉛直方向に沿って配置し、他方の板を水平方向に沿って配置している。後梁６０２のＬ字型部の水平方向に沿った水平面は、かごの高さ方向について、側梁６００の下方の水平面と同一平面状になるように、側梁６００に取り付けられている。
【００３４】  中間梁６０３は、側梁６００の中間付近を繋いでいる。具体的には、中間梁６０３は、各上部ガイド装置６２同士を結ぶ直線上にかごの幅方向に沿って配置されている。図３では、中間梁６０３は、断面略Ｕ字型の部材になっており、開放部を上方に向けた状態で側梁６００に固定されている。
【００３５】  天井６１は、一対の側梁６００間に配置されている。また、天井６１は、天井本体６１０と、天井本体６１０の周囲を囲む天井取付部６１１とを有している。図１では、かごの高さ方向に沿って天井６１を見たとき、天井本体６１０は、矩形の板になっており、かごの高さ方向について、下方の面が天井意匠面６１０ａ、上方の面が蓋面になっている単板天井になっている。なお、天井意匠面６１０ａは、後述する図５に示されている。
【００３６】  天井取付部６１１は、かごの高さ方向について、天井本体６１０の周囲から上方に突出するように設けられている。また、天井取付部６１１は、天井本体６１０の周縁部からかごの高さ方向に沿って突出する垂直面部６１１ａと、垂直面部６１１ａの上端部から水平方向について、天井本体６１０から離れるように突出した水平面部６１１ｂとを有している。
【００３７】  従って、天井取付部６１１は、断面略Ｌ字型になっている。なお、垂直面部６１１ａ及び水平面部６１１ｂは、後述する図４に示されている。また、本実施の形態１では、天井本体６１０及び天井取付部６１１を十字型の１枚板とし、天井本体６１０になる部分の周縁部を折り曲げることで天井取付部６１１を形成している。
【００３８】  かご出入口７側の垂直面部６１１ａを除く垂直面部６１１ａは、一対の側面壁の上端部及び背面壁の上端部の締結部になっている。このとき、垂直面部６１１ａは、一対の側面壁及び背面壁の意匠面側と締結される。また、かご出入口７側の垂直面部６１１ａは、図示しない戸当たり柱、戸袋柱、及び幕板などの締結部になっている。
【００３９】  水平面部６１１ｂは、後梁６０２のＬ字型部の水平面及び側梁６００のかごの高さ方向下方の水平面上に載せられた状態で固定されている。これにより、天井６１は、上枠６０に取り付けられている。
【００４０】  ここで、かごの幅方向、即ち水平方向について、天井６１の両端部間の距離（図３の距離Ｄ）は、かご床４１の側面取付部４２０間の距離（図２の距離Ｅ）よりも短く設定されている。即ち、距離Ｄ及び距離Ｅの関係は、距離Ｄ＜距離Ｅになっている。なお、距離Ｅは、距離Ｄに側面壁のかごの幅方向の長さ２つ分を加えた長さに設定することが望ましい。
【００４１】  また、かごの幅方向、即ち水平方向について、上枠６０の両端部間の距離（図３の距離Ｆ）は、かご床４１の側面取付部４２０間の距離（図２の距離Ｅ）よりも長く設定されている。即ち、距離Ｅ及び距離Ｆの関係は、距離Ｅ＜距離Ｆになっている。
【００４２】  また、かごの高さ方向、即ち、鉛直方向について、天井取付部６１１の垂直面部６１１ａの長さ（図３の長さＧ）は、かご床４１の側面取付部４２０の長さ（図２の長さＨ）よりも短く設定されている。即ち、長さＧ及び長さＨの関係は、長さＧ＜長さＨになっている。
【００４３】  次に、かご床ユニット４及びかご天井ユニット６の出荷形態、即ちエレベータかご用部品の組立体について説明する。図４は、本発明のかご床ユニット４及びかご天井ユニット６の出荷形態を示す斜視図である。また、図５は、図４のかご床ユニット４及びかご天井ユニット６の出荷形態を矢印Ｖ方向から見た状態の一部を示す正面図である。
【００４４】  図４及び図５に示すように、エレベータかご用部品の組立体では、かご床ユニット４及びかご天井ユニット６が、かご床意匠面４１ａと天井意匠面６１０ａとを互いに対向させた状態で、かご床ユニット４上に直接かご天井ユニット６を重ねている。
【００４５】  ここで、天井６１の両端部間の距離Ｄは、側面取付部４２０間の距離Ｅよりも短く設定されているので、天井６１は、側面取付部４２０及び背面取付部４２１で囲まれる空間内に収納される。
【００４６】  また、上枠６０間の距離Ｆは、側面取付部４２０間の距離Ｅよりも長く設定されているので、かごの高さ方向について、側梁６００の下面は、側面取付部４２０の上面に当接した状態になっている。即ち、上枠６０は、側面取付部４２０及び背面取付部４２１の上端部に載せられた状態になる。このとき、天井取付部６１１の長さＧは、側面取付部４２０の長さＨよりも短く設定されているので、互いに対向する天井意匠面６１０ａとかご床意匠面４１ａとは、離れた状態になっている。
【００４７】  即ち、天井ユニット６の天井６１は、かご床ユニット４の側面取付部４２０及び背面取付部４２１で囲まれる部分に対して入れ子状態になっている。これにより、かご床ユニット４及びかご天井ユニット６を直接重ねても、天井意匠面６１０ａ及びかご床意匠面４１ａが損傷することを防止することが可能になる。
【００４８】  また、かご床ユニット４及びかご天井ユニット６を重ねた状態で保持するために、複数の連結部材８が設けられている。各連結部材８は、断面略Ｌ字型の板状になっている。かご床ユニット４及びかご天井ユニット６と締結される連結部材８のＬ字型の一辺８ａには、連結部材８の長手方向に沿って複数（図４では、３つ）の取付穴８０が設けられている。
【００４９】  取付穴８０は、かご床ユニット４及びかご天井ユニット６に設けられた立柱５の取付穴（部品取付穴）に対応する位置に設けられている。なお、取付穴８０は、側梁６００に設けられた立柱５の取付穴及び床枠側梁４０に設けられた立柱５の取付穴に対応する位置に１つずつ設けられていればよく、少なくとも、２つ設けられていればよい。ここで、床枠側梁４０に設けられた立柱５の取付穴の位置には、立柱取付部４４が取り付けられている。
【００５０】  各連結部材８は、側梁６００に設けられた立柱５の取付穴及び床枠側梁４０に設けられた立柱５の取付穴と取付穴８０とを貫通するボルトを連結部材８側から締め付けることで、かご床ユニット４及びかご天井ユニット６を締結可能にしている。
【００５１】  本実施の形態１では、全ての立柱５の取付位置に対応する位置に連結部材８が設けられているので、連結部材８は、４つ設けられている。このように、かご床ユニット４及びかご天井ユニット６は、重ねられた状態で、立柱５の取付穴を利用して連結部材８により互いに締結されることで、一体になった出荷形態とすることができる。
【００５２】  ここで、図４に示すように、かごの高さ方向について、連結部材８の長さは、出荷形態のかご床ユニット４及びかご天井ユニット６の離れた両端部間の長さよりも小さく設定されている。
【００５３】  なお、連結部材８は、４つに限るものではなく、かご床ユニット４及びかご天井ユニット６が重なった状態を保持可能であれば、１〜３つ、または５つ以上であってもよい。また、部品取付穴を立柱５の取付穴としているが、かごの高さ方向についてかご床ユニット４及びかご天井ユニット６を連結可能な穴であればよく、例えば、各ガイド装置４３、６２の取付穴でもよい。
【００５４】  また、連結部材８のＬ字型の他辺８ｂには、かごを組み立てるときにかご床ユニット４の水平をとるための水平調整ジャッキ部９が取り付けられている。
【００５５】  水平調整ジャッキ部９は、連結部材８の長手方向に沿って連結部材８の他辺８ｂに設けられた筒部９０と、筒部９０内に抜差し可能なボルト部９１とを有している。本実施の形態１では、図５に示すように、筒部９０は、連結部材８がかご床ユニット４及びかご天井ユニット６を締結しているとき、天井ユニット６側の連結部材８の他辺８ｂの端部に設けられている。また、図示していないが、筒部９０の内部には、ボルト穴が設けられている。
【００５６】  ボルト部９１は、筒部９０のボルト穴に対して回転させることで、筒部９０に抜差し可能なジャッキ本体（図示せず）とボルト頭部９１ａを有している。ボルト部９１は、筒部９０に対してジャッキ本体の抜差し状態を調節することで、ボルト頭部９１ａと筒部９０との距離を調節可能になっている。
【００５７】  図５では、ボルト頭部９１ａは、連結部材８が、かご床ユニット４及びかご天井ユニット６を締結している状態であるとき、天井ユニット６側の連結部材８の他辺８ｂの端部から突出しない位置に設けられている。
【００５８】  次に、出荷形態になっているかご床ユニット４及びかご天井ユニット６を、昇降路内でかごとして組み立てるかご製造方法について説明する。先ず、一体化した出荷形態のかご床ユニット４及びかご天井ユニット６を昇降路内に搬入する。このとき、かご床ユニット４及びかご天井ユニット６以外のかごを形成する部材も搬入される。
【００５９】  次に、かご天井ユニット６と連結部材８の一辺８ａとの締結を外した状態で、かご床ユニット４を、持ち上げ器具などを用いて持ち上げる。このとき、かご天井ユニット６は、かご床ユニット４に乗ったままである。
【００６０】  かご床ユニット４を持ち上げた後、かご床ユニット４と連結部材８の一辺８ａとの締結部を中心軸として、連結部材８を１８０°回転させる。図６は、かご床ユニット４と連結部材８の一辺８ａとの締結部を中心軸として、連結部材８を１８０°回転させる動作を示す模式図である。
【００６１】  連結部材８を回転させる方向は、図６の矢印Ｋに示す方向である。これは、かご床ユニット４及びかご天井ユニット６を連結部材８が締結させた状態であるとき、Ｌ字板部４４ｂのかご天井ユニット６側の端部と、連結部材８の一辺８ａのかご天井ユニット６から離れた端部とが当接しているからである。
【００６２】  連結部材８を１８０°回転させると、水平調整ジャッキ部９は、上方から下方に移動する。この状態で、かご床ユニット４及びかご天井ユニット６を昇降路ピット面に置く、または、昇降路ピット面に仮置きした図示しない床梁仮置き枠上に置く。この状態で、かご床ユニット４が水平になるようにボルト部９１の位置を調整する。即ち、ボルト部９１は、連結部材８の下端部から鉛直方向に沿って伸縮可能になっている。
【００６３】  その後、かご天井ユニット６を揚重し、かご床ユニット４とかご天井ユニット６との間に、立柱５、側面壁、背面壁などのかごを形成する部材を取り付けてかごを昇降路内に据え付ける。これにより、かごの製造が完了する。
【００６４】  このような本実施の形態１におけるエレベータかご用部品の組立体では、かご床ユニット及びかご天井ユニットは、かご床意匠面と天井意匠面とを互いに対向させた状態で、かご床ユニット上にかご天井ユニットを直接載せた状態になっている。
【００６５】  このとき、水平方向について、かご床に設けられ、かごの側面壁を取り付ける一対の側面取付部間の距離は、天井の両端部間の距離よりも長く設定されている。また、水平方向について、かご天井ユニットの上枠間の距離は、一対の側面取付部間の距離よりも長く設定されている。さらに、鉛直方向について、一対の側面取付部の長さは、天井の長さよりも長く設定されている。
【００６６】  このような構成を備えることで、天井は、一対の側面取付部間に入れ子状態になっているとともに、互いに対向するかご床意匠面と天井意匠面との間には、隙間が設けられていることになる。この結果、かご床ユニットとかご天井ユニットとの間に木材を介在させることなく、かご床ユニットとかご天井ユニットとを直接重ねて一体にすることができる。
【００６７】  また、かご床ユニット上にかご天井ユニットを直接載せることが可能になっているので、梱包したかご床ユニット及びかご天井ユニットの高さが高くなってしまうことを抑制することができる。この結果、重ねて梱包したかご床ユニットとかご天井ユニットとの体積を小さくすることができる。
【００６８】  従来のかご床ユニット及びかご天井ユニットでは、重ねたかご床ユニット及びかご天井ユニットの水平移動を防止する木材製のストッパを、輸送用のコンテナの大きさに合わせて形成する必要があった。これにより、ストッパの費用の増加に繋がってしまうとともに、ストッパの重量により輸送費も増加してしまうという問題があった。
【００６９】  そこで、本実施の形態１におけるエレベータかご用部品の組立体では、かご床ユニット及びかご天井ユニットが重ねられた状態が、連結部材により保持されている。これにより、重ねられたかご床ユニット及びかご天井ユニットは、連結部材によりかご床ユニットに対するかご天井ユニットが阻止されていることになる。この結果、輸送用のコンテナにコンテナの大きさにあわせた木材製のストッパを設ける必要がなくなり、ストッパによる費用の増加を抑制することができる。
【００７０】  また、連結部材は、鉛直方向について、重ねられたかご床ユニット及びかご天井ユニットの離れた両端部間から突出することのない大きさに設定されているので、輸送用コンテナの大きさに合わせた木材製のストッパよりも、連結部材は軽量である。これにより、梱包材の重量による輸送費の増加を抑制することができる。
【００７１】  また、連結部材には、かご床ユニット上にかご天井ユニットを重ねた状態で、かご床ユニット及びかご天井ユニットに設けられた既存の他部品組み付け穴に対応する位置に取付穴が設けられている。これにより、かご床ユニット及びかご天井ユニットに連結部材用の取付穴を別途設ける必要がないので、かご床ユニット及びかご天井ユニットの製造コストの増加も抑制することができる。
【００７２】  さらに、連結部材には、昇降路内に搬入したかご床ユニットの水平調整が可能な水平調整ジャッキ部が設けられている。この結果、作業員が、水平調整用の治具を据付現場に持って入る手間を省くことができるとともに、水平調整用の治具を準備する手間も省くことができる。
【００７３】  なお、上記実施の形態１では、水平調整ジャッキ部９の構成が、筒部９０及びボルト部９１を有している。しかし、水平調整ジャッキ部９の構成は、これに限るものではなく、かご床ユニット４と連結部材８の一辺８ａとの締結部を中心軸として、１８０°回転させた連結部材８の下端部よりも下方の距離を調整可能な部材であれば、特に限定されない。
【００７４】  また、上記実施の形態１では、水平調整ジャッキ部９が、連結部材８がかご床ユニット４及びかご天井ユニット６を締結しているとき、天井ユニット６側の連結部材８の他辺８ｂの端部に設けられている。しかし、水平調整ジャッキ部９の取付位置は、これに限るものではなく、連結部材８の所望の位置に取り外し可能に取り付けられていてもよい。このとき、かご床ユニット４を水平調整するために、水平調整ジャッキ部９を連結部材８から一度取り外し、１８０°回転させた連結部材８の下端部に再度取り付ける。
【００７５】  さらに、水平調整ジャッキ部９は、連結部材８がかご床ユニット４及びかご天井ユニット６を締結しているとき、かご床ユニット４側の連結部材８の他辺８ｂの端部に設けられていてもよい。このとき、かご床ユニット４を水平調整するために、連結部材８をかご床ユニット４及びかご天井ユニット６から一度取り外し、水平調整ジャッキ部９が下端部にくるように連結部材８をかご床ユニット４に再度取り付ける。
【図１】
2016103391.tif 000003
【図２】
2016103391.tif 000004
【図３】
2016103391.tif 000005
【図４】
2016103391.tif 000006
【図５】
2016103391.tif 000007
【図６】
2016103391.tif 000008
【国際調査報告】
2016103391.tif 000009
2016103391.tif 000010
2016103391.tif 000011
2016103391.tif 000012